(57)【要約】【課題】筐体のカバーを開けることなくマザーボードに基板ユニットを接続したり、差込まれた状態での動作確認を行ったりすることが容易である作業性の優れた電子機器用筐体構造を提供する。【解決手段】電子機器用筐体構造は、箱形の外殻を有する筐体１０の少なくとも底板を構成するシャーシ１１と、底板に対して垂直にマザーボード２５を保持するステイ１７と、マザーボード２５に対して垂直にコネクタ２８ａ，２８ｂを介して差込接続される少なくとも１つの基板ユニット２１，２２，２３，２４を案内するスロット１５ｃを有して基板ユニットを案内する両側に配置され基板ユニットが差し込まれる差込側へマザーボード２５と一体に引き出されるガイド１５と、少なくとも底板側及び基板ユニットの差込側を除く筐体１０の天蓋側を構成するカバー１２とを備える。【選択図】      図２
2006073614.tif 000002
【特許請求の範囲】
【請求項１】
箱形の外殻を有する筐体の少なくとも底板を構成するシャーシと、
前記底板に対して垂直にマザーボードを保持するステイと、
前記マザーボードに対して垂直にコネクタを介して差込接続される少なくとも１つの基板ユニットを案内するスロットを有して前記基板ユニットを案内する両側に配置され前記基板ユニットが差し込まれる差込側へ前記マザーボードと一体に引き出されるガイドと、
少なくとも前記底板側及び前記基板ユニットの差込側を除く前記筐体の天蓋側を構成するカバーと
を備えることを特徴とする電子機器用筐体構造。
【請求項２】
箱形の外殻を有する筐体の少なくとも底板を構成するシャーシと、
前記底板に乗せられてこの底板に沿って前記筐体の外に引き出し可能なトレイと、
前記トレイの引出方向に対して垂直に配置されるマザーボードを支持して前記トレイに固定されるステイと、
前記マザーボードに対して垂直にコネクタを介して差込接続される少なくとも１つの基板ユニットを案内するスロットを有して前記基板ユニットを案内する両側に配置され前記トレイに固定されるガイドと、
少なくとも前記底板側及び前記トレイの引出方向側を除く前記筐体の天蓋側を構成するカバーと
を備えることを特徴とする電子機器用筐体構造。
【請求項３】
マザーボードに対して垂直にコネクタを介して少なくとも１つの基板ユニットが差込接続される電子機器を内蔵する箱形の外殻を有する電子機器用筐体構造であって、
前記外殻の底板を構成するシャーシと、
前記底板に対して垂直に配置される前記マザーボードに前記基板ユニットを案内するスロットを有して前記基板ユニットの差込方向に沿って前記マザーボードとともに移動するガイドと、
前記底板側及び前記基板ユニットの差込方向側を除く前記外殻の一部を構成して前記マザーボード及び前記基板ユニットを覆うカバーと、
を備えることを特徴とする電子機器用筐体構造。
【請求項４】
前記カバーは、前記底板と反対側の前記ガイドの上縁と遊嵌する案内凸部を備えることを特徴とする請求項１に記載の電子機器用筐体構造。
【請求項５】
前記ステイ及び前記ガイドが上面に固定されて前記基板ユニットが差し込まれる方向に前記シャーシの上を摺動するトレイを備えることを特徴とする請求項１に記載の電子機器用筐体構造。
【請求項６】
前記ガイドは、前記基板ユニットが差し込まれる方向に沿って延びる両方の側面に前記スロットを少なくとも１つずつ、前記基板ユニットに沿う面と直交するガイド中心面に対して鏡像に配置されることを特徴とする請求項１に記載の電子機器用筐体構造。
【請求項７】
１つの前記基板ユニットに対応して一対の前記ガイド間に装着され前記基板ユニットの差込部を個別に覆うパネルと、
これらのパネルを縁取りする格子状に形成されて前記パネルの外側から前記筐体に取り付けられるフロントカバーと、
前記マザーボードと反対側の挿入端側の前記ガイドに設けられてこのガイドを横切る方向への挿通を遮る封止板と、
前記フロントカバー寄りの前記封止板に対応する位置に設けられて前記筐体の内側と外側とを連通させる切欠部とを有し、
前記マザーボードに接続される基板ユニットに前記フロントカバー側から通信ケーブルを接続する場合、前記通信ケーブルのジャックが差し込まれる接続端子を覗かせる開口部を前記パネルに設け、
前記マザーボードに接続される基板ユニットから延びる通信ケーブルを前記基板ユニットの差込方向を横切る方向に前記筐体の外へ取り出す場合、前記封止板を取除いて前記ガイドと前記切欠部とを横切って配線する
ことを特徴とする請求項１に記載の電子機器用筐体構造。
【請求項８】
箱形の外殻を有する筐体の少なくとも底板を構成するシャーシと、
前記底板に乗せられてこの底板に沿って前記筐体の外に引き出し可能なトレイと、
少なくとも前記底板側及び前記トレイの引出方向側を除く前記筐体の天蓋側を構成するカバーと、
前記トレイの引出方向に対して垂直に配置されるマザーボードと、
前記マザーボードを支持して前記トレイに固定されるステイと、
前記マザーボードに対して垂直にコネクタを介して差込接続される少なくとも１つの基板ユニットと、
前記基板ユニットを案内するスロットを有して前記基板ユニットを案内する両側に配置され前記トレイに固定されるガイドと、
前記マザーボードと反対側の挿入端側の前記ガイドに設けられてこのガイドを横切る方向への挿通を遮る封止板と、
１つの前記基板ユニットに対応して一対の前記ガイドの間に装着され前記基板ユニットの差込部を個別に覆うパネルと、
前記パネルを縁取りする格子状に形成されて前記パネルの外側から前記筐体に取り付けられるフロントカバーと、
前記フロントカバー寄りの前記封止板に対応する位置に設けられて前記筐体の内側と外側とを連通させる切欠部とを備え、
前記マザーボードに接続される基板ユニットに前記フロントカバー側から通信ケーブルを接続する場合、前記通信ケーブルのジャックが差し込まれる接続端子を覗かせる開口部を前記パネルに設け、
前記マザーボードに接続される基板ユニットから延びる通信ケーブルを前記基板ユニットの差込方向を横切る方向に前記筐体の外へ取り出す場合、前記封止板を取除いて前記ガイドと前記切欠部とを横切って配線する
ことを特徴とする通信機器。
【請求項９】
前記基板ユニットのうち１つは、前記マザーボードを介して他の基板ユニットを制御する制御ユニットであり、
前記他の基板ユニットは、差込方向に前記制御ユニットよりも短く形成されて前記マザーボードに対して同じ形状の前記コネクタを介して接続される拡張ユニットであり、
前記拡張ユニットに前記フロントカバー側から前記通信ケーブルが接続される場合、前記拡張ユニットに設けられた接続端子を前記パネルに揃う位置に配置するべく前記マザーボードから前記拡張ユニットまでの間を接続する延長基板、または、前記拡張ユニットの接続端子を前記フロントカバー側から接続される前記通信ケーブルのジャックに対応した接続端子に変換するとともにこの接続端子を前記パネルに揃う位置に配置する長さに設けられた端子変換基板が装着され、
前記拡張ユニットから延びる前記通信ケーブルを前記基板ユニットの差込方向を横切る方向へ前記切欠部を通して前記筐体の外へ取り出す場合、前記拡張ユニットは、それぞれ前記マザーボードに直接差し込まれる
ことを特徴とする請求項８に記載の通信機器。
【発明の詳細な説明】
【技術分野】
【０００１】
本発明は、マザーボードに対してコネクタを介して垂直に基板ユニットが差込接続される電子機器を内蔵するための電子機器用筐体構造、及び通信ケーブルの接続において電話配線形態とＬＡＮ配線形態とを選択的に採用する通信機器に関する。
【背景技術】
【０００２】
マザーボードに対して垂直にコネクタを介して基板ユニットが差込接続される電子機器がある。この電子機器は、マザーボードが筐体の内部に固定されている。特に、特許文献１には、マザーボードを水平に配置し、拡張ユニットに縦置きされた複数の拡張ボードがこのマザーボードに対して着脱されることが記載されている。また、拡張ユニットは、全ての拡張ボードを一度にまとめて着脱し、筐体内部に設けられたガイドレールに案内されて筐体前側板に設けられた装着開口から出し入れされる。
【０００３】
また、特許文献２に記載された通信機器の筐体は、奥側にマザーボードが配置されており、ガイドレールを上下の内面に備えている。マザーボードに差し込まれるパネルは、縦向きでガイドレールに案内されて手前側から挿入される。
【特許文献１】特開２００３-１０１２６３号公報
【特許文献２】特開平４−５３０３５号公報
【発明の開示】
【発明が解決しようとする課題】
【０００４】
しかしながら、これらの電子機器において、拡張ボードやパネルといった基板ユニットがマザーボードに挿し込まれて作動している状態で、各基板ユニットの接続状態や作動状況を確認検査するには、マザーボードが直接固定されていない部分の筐体、例えばカバーを取外さなければならない。
【０００５】
また、通信方式が多様化してくるにつれて、多様な接続コネクタ及び接続端子が採用される。特に、通信機器における配線形態は、主に２つの形態に分かれており、電話配線形態とローカルエリアネットワーク（ＬＡＮ）配線形態とがある。電話配線形態では、配線コネクタ端子は、筐体内部に設けられ、筐体のカバーを外して配線される機器が多い。ＬＡＮ配線形態では、配線コネクタ端子は、筐体の外面に並べて設けられ、筐体のカバーを外さずに配線する機器が多い。
【０００６】
しかし、いずれにせよ基板ユニットを既設の通信機器のマザーボードに装着する場合やメンテナンスなどの場合は、カバーを開けて作業する必要がある。また、電話配線形態とＬＡＮ配線形態とは、これまで互いに使い分けされていたが、インターネットプロトコル（ＩＰ）の製品が増えてきたことによって、これらの配線形態が混在することが増えてきた。したがって、これらの配線形態を同じ通信機器で対応することが望まれる。電子機器の仕様に応じて増設される基板ユニットは、その機能が同じ場合でも設けられるコネクタ類が異なるものが必要とされる。
【０００７】
そこで、本発明は、筐体のカバーを開けることなくマザーボードに基板ユニットを接続したり、差込まれた状態での動作確認を行ったりすることが容易である作業性の優れた電子機器用筐体構造、及び異なる配線形態に対応することのできる通信機器を提供することを目的とする。
【課題を解決するための手段】
【０００８】
本発明に係る電子機器用筐体は、シャーシとステイとガイドとカバーとを備える。シャーシは、箱形の外殻を有する筐体の少なくとも底板を構成する。ステイは、底板に対して垂直にマザーボードを保持する。ガイドは、マザーボードに対して垂直にコネクタを介して差込接続される少なくとも１つの基板ユニットを案内するスロットを有している。ガイドは、基板ユニットを案内する両側に配置され、基板ユニットが差込まれる差込側へマザーボードと一体に引き出される。カバーは、少なくとも底板側及び基板ユニットの差込側を除く筐体の天蓋側を構成する。
【発明の効果】
【０００９】
本発明に係る電子機器用筐体によれば、基板ユニットを案内するガイドがマザーボードとともに引き出される。すなわち、基板ユニットをマザーボードに差込んだ状態で筐体から外に引き出すことができる。したがって、マザーボードに対する基板ユニットの装着、抜脱、及びマザーボードや基板ユニットに対する配線が容易になる。また、メンテナンスの際における各部の接続状況や作動の確認などの作業性に優れている。
【発明を実施するための最良の形態】
【００１０】
本発明に係る一実施形態の電子機器用筐体構造について、通信機器１に適用した場合を一例に図１から図１２を参照して説明する。図１に示す通信機器１の筐体１０は、箱形の外殻を有している。筐体１０の前面には、格子状のフロントカバー１３が取り付けられている。格子の各窓１３ａの内側には、パネル１４が装着されている。パネル１４は、それぞれ筐体１０に内蔵される基板ユニット２１，２２，２３，２４に設けた接続端子３１を覗かせる開口部１４ａ，１４ｂ，１４ｃを有する。
【００１１】
図１に示した通信機器１は、ＬＡＮ配線される。ＬＡＮ配線は、８芯モジュラージャック４１を有した通信ケーブル５１で行われるのが大半である。したがって、筐体１０の前面には、８芯モジュラージャック４１用の通信ケーブル５１が接続される接続端子３１が複数配置されている。
【００１２】
通信機器１は、図２に示すように、筐体１０にマザーボード２５と基板ユニット２１，２２，２３，２４と電源ユニット２６とを内蔵している。以降、説明の便宜上、接続端子３１が見える側を前側または差込側、電源ユニット２６が搭載されている側を後側、通信機器１が設置される状態で鉛直方向に上下、前側から見て左右を定義する。
【００１３】
筐体１０は、シャーシ１１とトレイ１６とステイ１７とガイド１５とカバー１２とパネル１４とフロントカバー１３とを備える。シャーシ１１は、底壁１１ａとシャーシ側壁１１ｂと後壁１１ｃとを有し、一体にプレス成形されている。底壁１１ａは、筐体１０の底板を構成する。後壁１１ｃには、後方開口１１ｄを塞ぐバックカバー１８と、電源ユニット２６やマザーボード２５などを空冷するためのファン２７とが取り付けられている。
【００１４】
トレイ１６は、底壁１１ａに乗せられており、図３に示すように、この底壁１１ａに沿って筐体１０の前方に引き出し可能である。ステイ１７は、トレイ１６に固定されている。ステイ１７は、トレイ１６の引出方向に対して垂直に配置されるマザーボード２５を支持する。電源ユニット２６は、トレイ１６上のマザーボード２５の後方に搭載されている。
【００１５】
ガイド１５は、基板ユニット２１，２２，２３，２４を案内する両側に配置される。各ガイド１５は、図５に示すように下縁部に設けられたフック１５ａでトレイ１６に係合し、後端部に設けられた凸部１５ｂがマザーボード２５もしくはステイ１７に差込まれている。各ガイド１５は、同一形状に作られている。ガイド１５は、基板ユニット２１，２２，２３，２４を案内するスロット１５ｃを有している。スロット１５ｃは、図６に示すように、基板ユニット２１，２２，２３，２４に沿う面と直交するガイド中心面Ｇに対して鏡像に、つまり、左右対称に配置され、基板ユニット２１，２２，２３，２４が差込まれる方向に沿って延びるガイド１５の両側面に少なくとも１つずつ、本実施形態では、下端寄りに１つ、これと並行して中央部付近に２つずつ、都合、３つずつ設けられている。
【００１６】
また、ガイド１５は、マザーボード２５と反対側、基板ユニット２１，２２，２３，２４の挿入端側となる前部に封止板１５ｄを備える。この封止板１５ｄは、隣合う差込部Ｓを分離する隔壁であって、ガイド１５を横切る方向の挿通を遮断する。封止板１５ｄは、ガイド１５に対して数箇所でつながっており、ニッパなどで容易に切り取ることができる。この封止板１５ｄは、トレイ１６を手前に引き出す際に基板ユニット２１，２２，２３，２４に誤って指が触れないようにすることにも有益である。
【００１７】
カバー１２は、天板１２ａとカバー側壁１２ｂとを有しており、トレイ１６が筐体１０内に収容された状態におけるマザーボード２５の辺りを境目に、前部と後部とに分割されている。天板１２ａは、筐体１０の天蓋を構成する。カバー側壁１２ｂは、シャーシ側壁１１ｂに外側から重なるように設けられている。筐体１０の側壁は、シャーシ側壁１１ｂとカバー側壁１２ｂとが重なって構成されている。封止板１５ｄに対応する位置のカバー側壁１２ｂ及びシャーシ側壁１１ｂには、図２に示すようにそれぞれ切欠部１１ｆ，１２ｆが設けられている。
【００１８】
また、カバー１２は、ガイド１５の上縁１５ｅと遊嵌する案内凸部１２ｅを天板１２ａに備えている。この案内凸部１２ｅは、プレス成形によって、天板１２ａの一部を内側に垂れ下がるフープ状に形成したものである。この案内凸部１２ｅは、この他の形状、例えば、天板１２ａの一部を切欠いて内側に折り返したものや、天板１２ａに鋲やねじ、スポット溶接などによって別途取り付けられるものであっても良い。また、凸部に限らずトレイ１６の引出方向に延びるレール形状に設けられても良い。
【００１９】
パネル１４は、ガイド１５間に挿入される基板ユニット２１，２２，２３，２４の１つ１つに対応して設けられる。パネル１４は、対応する基板ユニット２１，２２，２３，２４の両端を支持するガイド１５に装着され、基板ユニット２１，２２，２３，２４が装着される差込部Ｓを個別に覆う。また、基板ユニット２１，２２，２３，２４に設けられる接続端子３１の位置及び形状に合せて開口部１４ａ，１４ｂ，１４ｃが設けられる。パネル１４は、トレイ１６が筐体１０内に収まった状態で、カバー１２の前縁に取り付けられるフロントカバー１３によって押えられる。フロントカバー１３は、パネル１４を縁取りする格子状に形成され、カバー１２の前縁にねじで固定される。
【００２０】
基板ユニット２１，２２，２３，２４は、マザーボード２５に対して垂直にコネクタ２８ａ，２８ｂを介して差込接続される。本実施形態では、基板ユニット２１，２２，２３，２４の差込部Ｓは、４箇所設けられている。基板ユニット２１，２２，２３，２４のうちの１つは、マザーボード２５を介して他の基板ユニット２２，２３，２４を制御する制御ユニット２１である。制御ユニット２１は、図２、図３、図７、図８に示すようにマザーボード２５に対して２つのコネクタ２８ａで接続される。マザーボード２５と反対側の制御ユニット２１の前縁に沿って、ＬＡＮ配線される接続端子３１の他にもジャックやプラグを差込むソケットが整列されている。
【００２１】
また、制御ユニット２１の前側下面には、メモリーカードなどを差込めるカード装着部２１ａが設けられている。したがって、フロントカバー１３が取り付けられた状態でこのカード装着部２１ａに図８に示すようなカード４を差込めるように、制御ユニット２１は、図６に示すようにガイド１５の中央部付近に設けられるスロット１５ｃのうち上段のスロット１５ｃに差込まれる。
【００２２】
他の基板ユニット２２，２３，２４は、図９から図１１に示すようにマザーボード２５に対して同じ形状のコネクタ２８ｂを介して接続される拡張ユニット２２ａ，２３ａ，２４ａを含む。したがって、拡張ユニット２２ａ，２３ａ，２４ａは、制御ユニット２１用の差込部Ｓ以外、どの差込部Ｓに装着しても良い。拡張ユニット２２ａ，２３ａ，２４ａは、図２から図４、図７から図１２に示すように、差込方向に制御ユニット２１よりも短く形成されている。
【００２３】
拡張ユニット２２ａ，２３ａ，２４ａに設けられる接続端子３１，３２，３３の具体例を図９から図１１に示す。図９に示す拡張ユニット２４ａは、６芯モジュラージャック４３を差込めるレセプタとなる接続端子３３を備えている。図１０に示す拡張ユニット２３ａは、多数芯のアンフェノールコネクタ４２の接続端子３２を備えている。図１１に示す拡張ユニット２２ａは、８芯モジュラージャック４１を差込めるレセプタとなる接続端子３１を備えている。
【００２４】
通信機器１をＬＡＮ配線する場合について説明する。拡張ユニット２２ａ，２３ａ，２４ａは、図１から図４、図７に示すように、ＬＡＮ配線に使用される８芯モジュラージャック４１を前側から差込めるように、それぞれ各図９、図１０、図１１に示されるように、端子変換基板２３ｂ，２４ｂ、もしくは、延長基板２２ｂが取り付けられる。端子変換基板２３ｂ，２４ｂは、８芯モジュラージャック４１が差込まれる接続端子３１が前側に設けられ、対応する拡張ユニット２３ａ，２４ａと同じスロット１５ｃに挿入された状態で、この接続端子３１がパネル１４に揃う位置に配置される長さを有している。延長基板２２ｂは、８芯モジュラージャック４１の接続端子３１を備える拡張ユニット２２ａとマザーボード２５との間に挿入接続され、対応する拡張ユニット２２ａに設けられた接続端子３１がパネル１４に揃う位置に配置される長さを有している。
【００２５】
図９において、拡張ユニット２４ａは、マザーボード２５に直接差込まれ、端子変換基板２４ｂは、６芯モジュラージャック４３を有する通信ケーブル５３で拡張ユニット２４ａと接続される。図１０において、拡張ユニット２３ａは、マザーボード２５に直接差込まれ、端子変換基板２３ｂは、拡張ユニット２３ａに設けられた多数芯のアンフェノールコネクタの接続端子３２と接続される。図１１において、拡張ユニット２２ａは、マザーボード２５に設けられたものと同じ形のコネクタ２８ｂを有した延長基板２２ｂに接続され、この延長基板２２ｂがマザーボード２５に差込まれる。なお、図４において、制御ユニット２１の下方となる左側下段の差込部Ｓに装着した基板ユニット２２の拡張ユニット２２ａは、接続端子３１を描いていないが、図９や図１０の端子変換基板２３ｂ，２４ｂに設けたように複数の接続端子３１を設けても良いし、図１１の拡張ユニット２２ａのように１つの接続端子３１を設けても良い。また、接続端子３１を設けない場合は、図１の左側下段の差込部Ｓのようにパネル１４には開口部を設けず、図４に示したようにマザーボード２５との間に延長基板を接続する必要もない。
【００２６】
次に、通信機器１を電話配線する場合について説明する。図９から図１１に示した拡張ユニット２２ａ，２３ａ，２４ａは、それぞれマザーボード２５に直接接続される。各拡張ユニット２２ａ，２３ａ，２４ａに設けられる接続端子３１，３２，３３には、図１２に示すようにそれぞれの形態に合せて、８芯モジュラージャック４１、多数芯のアンフェノールコネクタ４２、６芯モジュラージャック４３、などをプラグとして備える通信ケーブル５１，５２，５３が接続される。
【００２７】
各通信ケーブル５１，５２，５３は、ガイドの封止板１５ｄを取外した部分を通し、筐体１０の側壁に設けられた切欠部１１ｆ，１２ｆから取り出される。この場合、切欠部１１ｆ，１２ｆから離れた側の拡張ユニット２４ａの接続端子３３に接続された通信ケーブル５３は、左側下段の差込部Ｓと右側下段の差込部Ｓの間に設けられたガイド１５の封止板１５ｄを切除した部分を通過させる。また、パネル１４には、開口部を設けない。
【００２８】
以上のように構成された通信機器１は、関係する機器とともに専用のラックなどに、互いの隙間が接近した状態で、組み込まれる。このような場合でも、基板ユニット２１，２２，２３，２４の交換などの際にカバー１２を開放することを余儀なくされる他の通信機器と異なり、この筐体構造を有した通信機器１は、メンテナンス、基板ユニットの増設、更新、異なる機能の基板ユニットに取り替えるなど行う場合、通信機器１のカバー１２を開けることなく、基板ユニット２１，２２，２３，２４がマザーボード２５に差込接続された状態で手前に引き出すことができる。したがって、各基板ユニット２１，２２，２３，２４が作動する状態でメンテナンス作業を行ったり、基板ユニット２１，２２，２３，２４を抜き差しした後の接続状態を確認したりすることが容易に行える。
【００２９】
特に、基板ユニット２１，２２，２３，２４を案内するガイド１５の上縁１５ｅがカバー１２に設けられた案内凸部１２ｅに支持されている。したがって、基板ユニット２１，２２，２３，２４を着脱する際にガイド１５がふらつかない。また、ガイド１５が案内凸部１２ｅに遊嵌することで、マザーボード２５や基板ユニット２１，２２，２３，２４を搭載するトレイ１６全体が箱形の筐体１０の内側に遊嵌した状態となる。したがって、この筐体構造によれば、特別なスライドレールなどを設けることなく、トレイ１６を引き出した場合にトレイ１６全体が手前に傾くことを防止することができる。
【図面の簡単な説明】
【００３０】
【図１】本発明に係る一実施形態の電子機器用筐体構造を有してＬＡＮ配線される通信機器を示す斜視図。
【図２】図１に示した通信機器の分解斜視図。
【図３】図１に示した通信機器のフロントカバー及びパネルを取外し、トレイを手前に引き出した状態でカバーを省略した斜視図。
【図４】図１に示した通信機器のフロントカバー及びパネルを取外し、拡張ユニット及び端子変換基板を抜き出した状態でカバーを省略した斜視図。
【図５】図２に示したガイドの側面図。
【図６】図１に示した通信機器のマザーボードと並行に基板ユニット側を横切る断面図。
【図７】図１に示した通信装置のカバーを取外した状態を模式的に示す平面図。
【図８】図２に示した制御ユニットを模式的に示す平面図。
【図９】図２に示した拡張ユニットの１つを模式的に示す平面図。
【図１０】図２に示した拡張ユニットの１つを模式的に示す平面図。
【図１１】図２に示した拡張ユニットの１つを模式的に示す平面図。
【図１２】図１に示した通信機器を電話配線に組替えた状態をフロントカバー、パネル、カバーを省略し、制御ユニットの一部を切欠いて示す斜視図。
【符号の説明】
【００３１】
１…通信機器、１０…筐体、１１…シャーシ、１１ａ…底壁（底板）、１１ｆ…切欠部、１２…カバー、１２ａ…天板（天蓋）、１２ｅ…案内凸部、１２ｆ…切欠部、１３…フロントカバー、１４…パネル、１４ａ，１４ｂ，１４ｃ…開口部、１５…ガイド、１５ｃ…スロット、１５ｄ…封止板、１５ｅ…上縁、１６…トレイ、１７…ステイ、２１…制御ユニット（基板ユニット）、２２，２３，２４…基板ユニット、２２ａ，２３ａ，２４ａ…拡張ユニット、２２ｂ…延長基板、２３ｂ，２４ｂ…端子変換基板、２５…マザーボード、２８ａ，２８ｂ…コネクタ、３１，３２，３３…接続端子、５１，５２，５３…通信ケーブル、Ｓ…差込部、Ｇ…ガイド中心面。
【図１】
2006073614.tif 000003
【図２】
2006073614.tif 000004
【図３】
2006073614.tif 000005
【図４】
2006073614.tif 000006
【図５】
2006073614.tif 000007
【図６】
2006073614.tif 000008
【図７】
2006073614.tif 000009
【図８】
2006073614.tif 000010
【図９】
2006073614.tif 000011
【図１０】
2006073614.tif 000012
【図１１】
2006073614.tif 000013
【図１２】
2006073614.tif 000014